(57)【特許請求の範囲】
【請求項１】
上部に背面部を有する本体部材とこの本体部材の端部に上面開口した空間を介して設けられた端板からなる被包装物の端部に装着される一枚の段ボール材からなる包装装置において、
前記包装装置は、
前記端板と略直角方向に段ボール材の目方向を有する平板形状をなし、前記端板に沿う位置に切込み線を有し当該切込み線を境に一方を前記空間内に配設するとともに、
他方は前記本体部材の背面部に載置したことを特徴とする包装装置。
【請求項２】
前記包装装置は、
前記空間内に配設される一方の段ボール材に重ね合せて折曲げられる補強部材を有することを特徴とする請求項１記載の包装装置。
【発明の詳細な説明】
【０００１】
【発明の属する技術分野】
本発明は、例えば、本体部材の端部に上面開口した空間を介して設けられた端板を保護するため、当該空間に装着する緩衝材としての包装装置に関する。
【０００２】
【従来の技術】
従来、上部に背面部を有する本体部材と、この本体部材の端部に上面開口した空間を介して設けられた端板からなる器具本体の端板緩衝材としての包装装置は、図１１〜図１４に示すものが知られている。
【０００３】
図１２は端板緩衝材としての包装装置が取付けられる被包装物としての器具本体を示すもので、この器具本体５は、本体部材６とこの本体部材６の端部に上面開口した空間２５を介して設けられた端板１５とから構成している。なお、端板１５の上端縁には、内方に向けて直角に折曲げられた引掛片１６が設けられている。
【０００４】
前記本体部材６は、長手方向内に沿ってランプ（図示せず）が配置される下面開口し断面形状が略台形状をなす箱形の本体部材主部７と、この本体部材主部７の下方外周縁から外方に向けて水平に折曲げ形成される下面部１１とから構成している。
【０００５】
前記本体部材主部７は、上部に形成された長手方向に長方形をなす背面部８と、この背面部８の両端から下方に向けてハの字形に傾斜する一対の端面部９，９と、前記背面部８の両側から下方に向けてハの字形に傾斜する一対の側面部１０，１０とから構成している。
【０００６】
さらに、本体部材６の端部には、当該本体部材の下面部１１端縁から上方に向けて直角に折曲げられ両端に対向して一対の端板１５，１５がそれぞれ形成している。同様に、本体部材６の側部には、本体部材の下面部１１側縁から上方に向けて直角に折曲げられ両側に対向して一対の側板２０，２０がそれぞれ形成している。
【０００７】
なお、側板２０と端板１５とは一体的に連結されるとともに、本体部材の端部に形成される端板１５は、本体部材の背面部８近傍まで延出し形成している。同様に、本体部材の側部に形成される側板２０も、同様に、本体部材の背面部８近傍まで延出し形成している。
【０００８】
さらに、本体部材の端面部９と下面部１１および端板１５と側板２０，２０とで囲まれ上面開口した空間２５が形成されるとともに、本体部材の端部上面は、当該本体部材の端面部９外面と、当該端面部と対向して設けられている端板１５内面および側板２０，２０内面とで囲まれ幅方向に長い第１の長方形空間２６が形成されている。
【０００９】
さらに、本体部材の側部上面は、当該本体部材の側面部１０外面と、当該側面部と対向して設けられている側板２０内面および端板１５，１５内面とで囲まれ長手方向に長い第２の長方形空間３０が形成されている。
【００１０】
上記構成からなる器具本体５を外装箱（図示せず）に包装し、運搬などしている時に、外装箱の端面を下面として落下した場合など、器具本体５の外郭を構成する端板１５が本体部材の端面部９と上面開口した空間２５を介して形成されていることから、外郭部材を構成する端板１５が凹むなどの問題が生ずる。
【００１１】
この問題を解消する方法として、端板緩衝材として段ボール材からなる包装装置を器具本体５の端部に装着するものが知られている。
【００１２】
図１１は器具本体の端部に装着される端板緩衝材としての包装装置を示すものである。
【００１３】
包装装置１は段ボール材から作られ、当該包装装置１の形状は、幅方向に長方形をした平板形状をしているとともに、段ボールの目方向は、Ａ部に示すように、幅方向に同一方向に形成している。
【００１４】
また、包装装置１の形状は、器具本体５の端部上面に形成される第１の長方形空間２６より多少大きめに形成されている。これは、包装装置１を器具本体端部上面に形成されている第１の長方形空間２６の外郭を構成する端板１５内面と側板２０，２０内面および本体部材６の端面部９外面に嵌め込み取付け、当該包装装置１が器具本体から外れるのを防止するためである。
【００１５】
つぎに、包装装置を器具本体の端部に取付ける方法を説明する。
【００１６】
最初に、包装装置１を斜めして器具本体の端部上面に形成されている第１の長方形空間２６内に挿入し、当該包装装置１の外方端１ａを器具本体の引掛け片１６に引掛ける。それから、器具本体の端部上面に形成された第１の長方形空間２６に取付ける。
【００１７】
この時、器具本体の端部上面開口に嵌込み取付けられた包装装置１の両側縁１ｂ，１ｂは、外郭を構成する側板２０，２０内面に密着して取付けられるとともに、多少下方又は上方に湾曲した状態で取付けられる。
【００１８】
さらに、包装装置１の外方端１ａは、外郭を構成する端板１５内面に密着し取付けられるとともに、包装装置の内方端１ｃも、同様に、本体部材の端面部９外面に密着して取付けられる。
【００１９】
【発明が解決しようとする課題】
上記のように従来の包装装置の形状は幅方向に長いことから、当該包装装置の強度を考慮し段ボールの目方向を幅と平行に形成している。
【００２０】
しかし、器具本体の端板に加わる外力は、包装装置の段ボールの目方向と直交する方向であることから、当該包装装置は、緩衝能力の低い使われ方がされている。
【００２１】
このため、器具本体の端板に外力が加わると、包装装置は目方向と直交す方向が変形する。
【００２２】
この結果、包装装置の器具本体への保持力が低下し、包装装置は器具本体の端部空間の下側に落ちてしまう恐れがあるという問題があった。
【００２３】
本発明は上記の点に鑑みてなされたもので、段ボール材の緩衝能力を有効に利用するとともに、器具本体への保持力の強い包装装置を提供することを課題とする。
【００２４】
【課題を解決するための手段】
前記課題を達成するために、請求項１記載の本発明に係る包装装置は、上部に背面部を有する本体部材とこの本体部材の端部に上面開口した空間を介して設けられた端板からなる被包装物の端部に装着される一枚の段ボール材からなる包装装置において、前記包装装置は、前記端板と略直角方向に段ボール材の目方向を有する平板形状をなし、前記端板に沿う位置に切込み線を有し当該切込み線を境に一方を前記空間内に配設するとともに、他方は前記本体部材の背面部に載置したことを特徴とするものである。
【００２５】
請求項２記載の本発明に係る包装装置は、前記包装装置は、前記空間内に配設される一方の段ボール材に重ね合せて折曲げられる補強部材を有することを特徴とするものである。
【００２６】
上記請求項１記載の構成において、包装装置は、本体部材の端部に沿う位置に切込み線を設けるとともに、切込み線を境に一方に本体部材の端部に設けた空間に配設する空間配設部を設け、他方に本体部材の背面部に載置する背面載置部を設ける。
【００２７】
さらに、包装装置は器具本体の端板と略直角方向に段ボール材の目方向を有する平板形状としたので、器具本体の端板に加わる外力に対して大きな緩衝能力を有する。
【００２８】
請求項２記載の構成において、本体部材の端部に設けた空間に配設する空間配設部に重合する補強部材を設けたので、器具本体の端板に加わる外力に対して、より緩衝能力が高い包装装置となる。
【００２９】
【発明の実施の形態】
図１〜図１０を参照して本発明の実施の形態に係る包装装置を説明する。
【００３０】
図９および図１０は、外装箱に包装装置が装着された器具本体を包装する包装状態を示すもので、図９は器具本体を包装する外装箱を示し、図１０は器具本体を包装した外装箱をＰＰテープで封緘した状態を示したものである。
【００３１】
包装装置を装着した器具本体５を逆さにし、当該包装装置を下側にした器具本体５の４隅にコーナ緩衝部材３をそれぞれ装着するとともに、両端幅方向に巻き付ける幅方向外郭緩衝部材４，４をそれぞれ装着する。
【００３２】
それから、これら緩衝部材を取付けた器具本体５を外装箱３５に収納したのち、内フラップ３６，３６を内側方向にそれぞれ折曲げ、当該折曲げられた内フラップ３６，３６の上に外フラップ３７，３７をそれぞれ折曲げる。
【００３３】
最後に、ＰＰテープ３８を外フラップ３７，３７の突当て面に沿うとともに両端面３９，３９にかけて貼付け、器具本体５を外装箱３５に包装する。
【００３４】
図２は包装装置が装着される被包装物としての器具本体を示すもので、この器具本体５は、従来技術と同一構成からなり、上部に背面部８を有する本体部材６と、この本体部材６の端部に上面開口した空間２５を介して設けられた端板１５とから構成している。
【００３５】
図１は本発明に係る包装装置を示すもので、この包装装置４０は段ボール材から作られるとともに、当該包装装置４０の形状は、幅方向に長方形をした平板形状をしているとともに、段ボールの目方向は、Ｂ部に示すように、幅方向と直交方向に形成している。また、段ボールの目方向は、器具本体５の端板１５に対して直交方向に形成されている。
【００３６】
さらに、包装装置４０は、長手方向中央に当該包装装置の厚み全体がカットされた切込み線４１が形成され、この切込み線４１を含んだ一枚の段ボール材から形成されている。なお、切込み線４１の長さは、器具本体の背面部８の幅Ｃより長く形成されている。
【００３７】
包装装置４０は、切込み線４１を境にして上下同一形状から形成されている。さらに、切込み線４１は、器具本体の端部に形成された第１の長方形空間２６に装着した際、本体部材の端部である端面部９に沿う位置に形成されるとともに、当該切込み線４１を境に、一方は、第１の長方形空間２６に配設される空間配設部４２とするとともに、他方は、本体部材の背面部８上に載置される背面載置部４３としている。
【００３８】
つぎに、包装装置を器具本体の端部に取付ける方法を図２〜図４を参照して説明する。
【００３９】
第１のステップとして、包装装置４０を斜めし、器具本体の端部上面である第１の長方形空間２６内に挿入するとともに、当該包装装置４０の外方端４０ａが、器具本体の引掛け片１６に引掛けるまで水平状態に回動させると、包装装置の空間配設部４２は、ほぼ第１の長方形空間２６に配設される。さらに、包装装置の背面載置部４３も、本体部材の背面部８に配設される。
【００４０】
第２のステップとして、包装装置４０の空間配設部４２および両端部を下方に向けて押圧すると、切込み線４１を境にして、当該空間配設部４２および両端部が、図４に示すように、下方に向けて沈み込む。
【００４１】
このとき、包装装置４０の両側縁４０ｂ，４０ｂは外郭を構成する側板２０，２０内面に密着するとともに、包装装置４０の外方端４０ａは外郭を構成する端板１５内面に密着し取付けられる。同時に、包装装置の背面載置部４３は、本体部材６の背面部８に乗るような形に配置される。
【００４２】
つぎに、本発明に係る第２の包装装置について、図５〜図８を参照して説明する。
【００４３】
図５は本発明に係る第２の包装装置を示すもので、第２の包装装置４５は段ボール材から作られるとともに、当該包装装置４５の形状は、幅方向に長方形をした平板形状をしているとともに、段ボールの目方向は、Ｂ部に示すように、幅方向と直交方向に形成している。また、この段ボールの目方向は、器具本体５の端板１５に対して直交方向に形成されている。
【００４４】
第２の包装装置４５は、第１の包装装置４０の空間配設部４２の端縁に半カット線４６を設け、当該半カット線４６を介して長手方向に空間配設部４２と同一幅に延出し第１の長方形空間２６に配設される形状に形成された補強部材４７を付加したものである。この補強部材４７以外は、第１の包装装置４０と同一構成をしている。
【００４５】
つぎに、包装装置を器具本体の端部に取付ける方法を説明する。
【００４６】
第１のステップとして、補強部材４７を半カット線４６に沿って折曲げ、当該補強部材４７を空間配設部４２に重ね合せる。
【００４７】
第２のステップとして、包装装置４５を斜めし、器具本体の端部上面に形成されている第１の長方形空間２６内に挿入するとともに、当該包装装置４５の外方端４５ａが、器具本体の引掛け片１６に引掛けるまで水平状態に回動させると、包装装置の重合された補強部材４７と空間配設部４２は、ほぼ第１の長方形空間２６に配設される。また、包装装置の背面載置部４３は、本体部材の背面部８に配設される。
【００４８】
第３のステップとして、包装装置４５の空間配設部４２と両端部を下方に向けて押圧すると、切込み線４１を境にして、重合された補強部材４７と空間配設部４２および両端部が、図７に示すように、下方に向けて沈み込む。
【００４９】
このとき、包装装置の両側縁４５ｂ，４５ｂは外郭を構成する側板２０，２０内面に密着するとともに、包装装置の外端４５ａも外郭を構成する端板１５に密着し取付けられる。同時に、包装装置の背面載置部４３は、本体部材６の背面部８に乗るような形に配置される。
【００５０】
また、図８に示すように、重合された補強部材４７と空間配設部４２は、外郭を構成する端板１５内面と側板２０，２０内面に密着して取付けられている。
【００５１】
なお、包装装置は、外郭を構成する端板１５内面と側板２０，２０内面に密着して取付けることで説明をしたが、当該包装装置が、被包装物としての器具本体の端部に装着されているものでも同じような作用効果を奏する。
【００５２】
また、上部に背面部を有する本体部材の端部に上面開口した空間を介して設けられた端板１５に引掛片１６を形成した構成で説明をしたが、当該引掛片１６を設けなくても同様な作用・効果を奏する。なお、端板１５に引掛片１６を有する構造のものでは、包装装置４０，４５が引掛片１６に引っ掛かり、当該包装装置が器具本体から外れにくい効果を有する。
【００５３】
次に上記実施の形態に係る包装装置の作用を説明する。
【００５４】
請求項１記載の構成において、包装装置は、端板に沿う位置に切込み線４１を設け、当該切込み線を境に一方に空間内に配設する空間配設部４２を設け、他方に本体部材の背面部８に載置する背面載置部４３を設ける。さらに、端板と略直角方向に段ボール材の目方向を有する平板形状としたので、器具本体の端板に外力が加わっても、包装装置の段ボールの目方向が、外力と同一方向に設けられていることから、当該外力によって変形する可能性が少ない。
【００５５】
さらに、包装装置の器具本体への保持面積が大きくなるとともに、包装装置の半分程度が本体部材の背面部上に載置していることから、当該包装装置の器具本体への保持力が強くなる。
【００５６】
請求項２記載の構成において、包装装置は、空間内に配設される一方の段ボール材に重合する補強部材を設けたので、当該包装装置の器具本体への保持力が更に強力になる。
【００５７】
【発明の効果】
以上詳記したように請求項１記載の本発明によれば、包装装置の段ボールの目方向を外力と同一方向に設けたことから、段ボール材の緩衝能力を有効利用できる。さらに、包装装置は、端板に沿う位置に切込み線を有し当該切込み線を境に一方を器具本体の端部に形成した空間内に配設するとともに、他方は本体部材の背面部に載置した構成としたので、器具本体への保持力の強い包装装置となる。
【００５８】
請求項２記載の本発明によれば、空間内に配設される一方の段ボール材に重ね合せて折曲げられる補強部材を設けたので、器具本体への保持力がより強い包装装置となる。
【図面の簡単な説明】
【図１】本発明の第１実施の形態に係る包装装置の構成を示す上面図。
【図２】同第１実施の形態の包装装置を器具本体に取付ける状態を示す斜視図。
【図３】同第１実施の形態の包装装置を器具本体に取付けた状態を示す斜視図。
【図４】同第１実施の形態の包装装置を器具本体に取付けた状態を示す側面断面図。
【図５】本発明の第２実施の形態に係る包装装置の構成を示す展開図。
【図６】同第２実施の形態の包装装置を器具本体に取付ける状態を示す斜視図。
【図７】同第２実施の形態の包装装置を器具本体に取付けた状態を示す側面断面図。
【図８】同第２実施の形態の包装装置を器具本体に取付けた状態を示す正面断面図。
【図９】当該包装装置を装着した器具本体に緩衝部材を取付け外装箱に収納する一般的な状態を示す斜視図。
【図１０】器具本体を外装箱に収納した一般的な状態を示す斜視図。
【図１１】従来技術に係る包装装置を示す上面図。
【図１２】同上従来技術の包装装置が装着される器具本体を示す斜視図。
【図１３】同上従来技術の包装装置を器具本体に装着した状態を示す斜視図。
【図１４】同上従来技術の包装装置を器具本体に装着した状態を示す正面断面図。
【符号の説明】
６…本体部材，
８…背面部，
１５…端板，
２５…空間，
４１…切込み線，
４７…補強部材。
【図１】
0003777820.tif 000002
【図２】
0003777820.tif 000003
【図３】
0003777820.tif 000004
【図４】
0003777820.tif 000005
【図５】
0003777820.tif 000006
【図６】
0003777820.tif 000007
【図７】
0003777820.tif 000008
【図８】
0003777820.tif 000009
【図９】
0003777820.tif 000010
【図１０】
0003777820.tif 000011
【図１１】
0003777820.tif 000012
【図１２】
0003777820.tif 000013
【図１３】
0003777820.tif 000014
【図１４】
0003777820.tif 000015